(57)【要約】【課題】吐出ヘッド部材を取り外しやすくできる多連式容器を提供すること。【解決手段】上方付勢状態で押し下げ可能とされて口部１０に立設されたステム１１を有する複数の吐出容器２と、前記ステム１１の上端に装着されて、前記吐出容器２内の内容物を吐出させる吐出口７が形成された吐出ヘッド部材５と、前記複数の吐出容器２の各前記口部１０を一体に囲う囲繞部材２５と、前記吐出ヘッド部材５を覆い、かつ前記吐出口７を外部に露出させる吐出窓２６が形成された被覆部材２７と、前記囲繞部材２５と前記被覆部材２７とを連結するヒンジ２８と、を備え、前記ヒンジ２８が、前記吐出ヘッド部材５の前記吐出口７よりも下方に配設されていることを特徴とする。【選択図】図２
2015009863.tif 000002
【特許請求の範囲】
【請求項１】
上方付勢状態で押し下げ可能とされて口部に立設されたステムを有する複数の吐出容器と、
前記ステムの上端に装着されて、前記吐出容器内の内容物を吐出させる吐出口が形成された吐出ヘッド部材と、
前記複数の吐出容器の各前記口部を一体に囲う囲繞部材と、
前記吐出ヘッド部材を覆い、かつ前記吐出口を外部に露出させる吐出窓が形成された被覆部材と、
前記囲繞部材と前記被覆部材とを連結するヒンジと、を備え、
前記ヒンジが、前記吐出ヘッド部材の前記吐出口よりも下方に配設されていることを特徴とする多連式容器。
【請求項２】
請求項１に記載の多連式容器であって、
前記吐出窓を画成する開口縁のうちの少なくとも一部は、前記吐出ヘッド部材に、該吐出ヘッド部材の上方から対向していることを特徴とする多連式容器。
【発明の詳細な説明】
【技術分野】
【０００１】
本発明は、多連式容器に関するものである。
【背景技術】
【０００２】
従来、例えば下記特許文献１に示されるような、上方付勢状態で押し下げ可能とされて口部に立設されたステムを有する２つの吐出容器と、各ステムの上端に装着されてこれらステム同士を連結し、各吐出容器内の内容物を吐出させる吐出口が形成されたノズル筒を有する吐出ヘッド部材と、２つの吐出容器の各口部を一体に囲う囲繞部材と、吐出ヘッド部材を覆う被覆部材と、これら囲繞部材及び被覆部材のいずれかに形成されてノズル筒の吐出口を外部に露出させる吐出窓と、囲繞部材と被覆部材とを吐出ヘッド部材よりも上方で連結するヒンジと、を備えた二連式容器（多連式容器）が知られている。
二連式容器には、例えば毛染液や整髪剤等が内容物として収容され、内容物の吐出後には、それ以降の安定的な吐出状態を維持する目的で、吐出ヘッド部材を取り外して洗浄することがある。
【先行技術文献】
【特許文献】
【０００３】
【特許文献１】特許第４０１１３０２号公報
【発明の概要】
【発明が解決しようとする課題】
【０００４】
しかしながら、上記従来の二連式容器では、囲繞部材に対して被覆部材をヒンジ部回りに回動させて吐出ヘッド部材を外部に露出させた状態から、該吐出ヘッド部材を容易に取り外せるようにすることに改善の余地があった。
【０００５】
本発明は、このような事情に鑑みてなされたものであって、吐出ヘッド部材を取り外しやすくできる多連式容器を提供することを目的としている。
【課題を解決するための手段】
【０００６】
前記課題を解決するために、本発明は以下の手段を提案している。
本発明の多連式容器は、上方付勢状態で押し下げ可能とされて口部に立設されたステムを有する複数の吐出容器と、前記ステムの上端に装着されて、前記吐出容器内の内容物を吐出させる吐出口が形成された吐出ヘッド部材と、前記複数の吐出容器の各前記口部を一体に囲う囲繞部材と、前記吐出ヘッド部材を覆い、かつ前記吐出口を外部に露出させる吐出窓が形成された被覆部材と、前記囲繞部材と前記被覆部材とを連結するヒンジと、を備え、前記ヒンジが、前記吐出ヘッド部材の前記吐出口よりも下方に配設されていることを特徴とする。
【０００７】
本発明の多連式容器によれば、囲繞部材と被覆部材とを連結するヒンジが、吐出ヘッド部材の吐出口よりも下方に位置しているので、囲繞部材に対して被覆部材をヒンジ回りに回動させて吐出ヘッド部材を外部に露出させたときに、該吐出ヘッド部材を下方に深い位置まで露出させることが可能になり、これにより吐出ヘッド部材を取り外しやすくできる。従って、吐出ヘッド部材の洗浄に容易に移行できる。また、囲繞部材に対して被覆部材をヒンジ回りに回動させて形成された開口部に、上方から吐出ヘッド部材を装着することができるため、組立が容易となる。
【０００８】
また、本発明の多連式容器において、前記吐出窓を画成する開口縁のうちの少なくとも一部は、前記吐出ヘッド部材に、該吐出ヘッド部材の上方から対向していることとしてもよい。
【０００９】
この場合、吐出窓の開口縁の少なくとも一部が、吐出ヘッド部材の上方に位置しているにも係わらず、上述した作用効果が得られ、吐出ヘッド部材を取り外しやすく、組立も容易となる。
【発明の効果】
【００１０】
本発明の多連式容器によれば、吐出ヘッド部材を取り外しやすくでき、組立も容易となる。
【図面の簡単な説明】
【００１１】
【図１】本発明の一実施形態に係る多連式容器の正面図であり、要部を部分的に縦断面で示すものである。
【図２】本発明の一実施形態に係る多連式容器の側断面図である。
【図３】本発明の一実施形態に係る多連式容器の上面図である。
【図４】本発明の一実施形態に係る多連式容器の背面図である。
【図５】多連式容器の吐出ヘッド部材を取り外す手順を説明する図である。
【図６】多連式容器の製造時の組み立て手順を説明する図である。
【発明を実施するための形態】
【００１２】
以下、本発明の一実施形態に係る多連式容器１について、図面を参照して説明する。
図１〜図４に示されるように、本実施形態の多連式容器１は、複数の吐出容器２、３と、内部カバー４と、吐出ヘッド部材５と、外部カバー６と、を備えている。
【００１３】
図１及び図２において、吐出容器２、３は、有底筒状をなしかつ口部１０が頂壁で覆われることで密閉容器状とされ、内部に互いに異なる種類の液状の内容物が収容された、同一構造の例えばエアゾール缶等である。本実施形態では、吐出容器２、３が一対設けられていて、多連式容器１は二連式容器とされている。これら吐出容器２、３は、互いの容器軸Ｏ同士が平行となるように胴部同士を接近配置又は当接させた状態で連結されている。
【００１４】
吐出容器２、３の口部１０は、該口部１０以外の部位（肩部、胴部及び底部）よりも小径とされており、この口部１０内には上方付勢状態で押し下げ可能にステム１１が立設されている。ステム１１は口部１０の前記頂壁を貫通しており、該ステム１１のうち吐出容器２、３内に配置された部位には、吐出弁（不図示）が設けられている。吐出容器２、３に対してステム１１が押し下げられると、前記吐出弁が開き、吐出容器２、３の内容物がステム１１内を通って容器外部に吐出され、ステム１１の押し下げを解除すると、上方付勢力によりステム１１が上昇するとともに前記吐出弁が閉じられて、内容物の吐出が停止される。
【００１５】
ステム１１の上端には、吐出容器２、３内の内容物を吐出させる吐出口７が形成された吐出ヘッド部材５が装着されている。そして、吐出ヘッド部材５とともにステム１１が押し下げられることで、吐出容器２、３内の内容物が例えば泡状となって、吐出口７から容器前方へ向けて吐出される。
ここで、本明細書においては、吐出容器２、３の容器軸Ｏ方向に沿う吐出ヘッド部材５側を上方といい、吐出容器２、３の底部側を下方という。また、容器軸Ｏに直交する方向を径方向といい、容器軸Ｏ回りに周回する方向を周方向という。また、前記径方向のうち、吐出ヘッド部材５の吐出口７から内容物を吐出する方向（図２における左側）を前方といい、前方とは反対側へ向かう方向（図２における右側）を後方という。さらに、前記径方向のうち、前後方向に直交する方向（図１において吐出容器２、３が配列される左右方向）を幅方向という。
【００１６】
内部カバー４は、一対の吐出容器２、３の各口部１０に装着され、これら吐出容器２、３を並列配置した状態で一体に組み合わせる連結部材である。
内部カバー４は、一対の吐出容器２、３の各口部１０に各別に外嵌される一対の嵌合筒８と、これら嵌合筒８同士を一体に連結する連結部９と、を備えている。
【００１７】
図２において、嵌合筒８の下端部には、径方向内側へ向けて突出する突起１２が周方向に間隔をあけて複数形成されており、これら突起１２が吐出容器２、３の口部１０にアンダーカット嵌合されている。嵌合筒８の下端開口縁は、吐出容器２、３の肩部に接近配置又は当接されている。
【００１８】
嵌合筒８の上端開口縁は、ステム１１の上端よりも上方に位置しており、嵌合筒８は、ステム１１の上端部を上下方向（容器軸Ｏ方向）の全長にわたって径方向外側から囲っている。図１において、嵌合筒８には、径方向内側へ向けて突出するストッパ壁１４が形成されており、該ストッパ壁１４は、吐出容器２、３の口部１０に、該口部１０の上方から当接している。
【００１９】
図２において、嵌合筒８の外周面には、径方向外側へ向けて突出するとともに周方向に沿って延びる拡径部１３が形成されている。図１及び図２に示されるように、嵌合筒８の外周面において、上下方向に沿うストッパ壁１４に対応する部分から拡径部１３までの間には、径方向外側へ向けて突出するとともに上下方向に沿って延びる縦リブ１５が、周方向に間隔をあけて複数形成されている。これら縦リブ１５は、下方に向かうに従い漸次径方向外側へ向けて突出しており、該縦リブ１５の下端は拡径部１３に面一とされている。
【００２０】
図１において、連結部９は板状をなしており、吐出容器２、３の口部１０に装着される各嵌合筒８間に配置されて、これら嵌合筒８同士を連結している。
【００２１】
吐出ヘッド部材５は、一対の吐出容器２、３の各ステム１１の上端に装着されて、これらステム１１同士を一体に連結している。
吐出ヘッド部材５は、吐出口７が形成された上部１７と、ステム１１に装着される下部１８と、これら上部１７及び下部１８を連結するヒンジ部１９と、を備えて一体に形成されている。
【００２２】
具体的に、吐出ヘッド部材５は、吐出容器２、３の各ステム１１の上端にそれぞれ装着される装着筒２０と、これら装着筒２０の上端部同士を一体に連結するヘッド本体２１と、ヘッド本体２１から前方に向けて延び、その前端（先端）開口が吐出口７とされたノズル筒２２と、を備えている。
ヘッド本体２１は上方部分と下方部分とを有するとともに、これらがヒンジ部１９で連結されている。吐出ヘッド部材５の前記上部１７は、ヘッド本体２１の上方部分とノズル筒２２とを含んでおり、吐出ヘッド部材５の前記下部１８は、ヘッド本体２１の下方部分と装着筒２０とを含んでいる。
【００２３】
またヘッド本体２１は、天壁２１ａ、底壁２１ｂ、前壁、後壁及び一対の側壁２１ｃにより画成された室２４を備えている。特に図示していないが、ヘッド本体２１の上面視又は下面視で、天壁２１ａ及び底壁２１ｂは長円形状又は楕円形状をなしている。またヘッド本体２１の横断面視で、側壁２１ｃは幅方向に沿う容器外側へ向けて凸となる凸曲線状をなしている。またヘッド本体２１の正面視又は背面視で、前壁及び後壁は幅方向に長い矩形状をなしている。
【００２４】
図示の例では、ヘッド本体２１には、底壁２１ｂの外周縁部から下方へ向けて嵌合壁２１ｄが垂下設されており、該嵌合壁２１ｄは前壁、後壁及び一対の側壁２１ｃの内側に嵌合されている。また、底壁２１ｂの上面における幅方向の中央部には、下方に向けて窪むとともに前後方向に延びる溝２１ｅが形成されている。
【００２５】
天壁２１ａにおける幅方向の中央部には、下方に向けて突出するとともに前後方向に延びる仕切り壁２１ｆが形成されており、該仕切り壁２１ｆの下端は、溝２１ｅ内に嵌合している。また仕切り壁２１ｆは、ヘッド本体２１内から前方のノズル筒２２内にわたって延設されている。このような仕切り壁２１ｆにより、ヘッド本体２１の室２４内及びノズル筒２２内が、幅方向に２つの領域に区画されているとともに、吐出容器２内から吐出ヘッド部材５内を通って吐出口７に至る一の内容物の流路と、吐出容器３内から吐出ヘッド部材５内を通って吐出口７に至る他の内容物の流路とが、各別に形成されている。尚、吐出容器２の一の内容物と、吐出容器３の他の内容物とが、ヘッド本体２１の室２４内で混合されるよう、仕切り壁２１ｆ及び溝２１ｅを設けなくてもよい。
【００２６】
本実施形態では、ヘッド本体２１の天壁２１ａ、前壁、後壁、一対の側壁２１ｃ及び仕切り壁２１ｆは、該ヘッド本体２１の上部１７に含まれ、底壁２１ｂ、嵌合壁２１ｄ及び溝２１ｅは、下部１８に含まれる。
【００２７】
また図２に示される例では、ヒンジ部１９は、ヘッド本体２１の後方端部に配置されて後壁と嵌合壁２１ｄとを連結している。
これにより図２の縦断面視で、吐出ヘッド部材５は、下部１８に対して上部１７がヒンジ部１９を中心に、上方から後方へ向かって円弧を描くように回動しつつ開かれるようになっている。
尚、特に図示していないが、ヘッド本体２１の前壁の下端縁に、ヘッド本体２１をヒンジ部１９回りに開く操作を容易化するための舌片を突設してもよい。
【００２８】
装着筒２０は、ヘッド本体２１の底壁２１ｂから垂下設されており、その下端部がステム１１の上端に外嵌されている。装着筒２０は、ヘッド本体２１の底壁２１ｂにおいて吐出容器２、３の各ステム１１の位置に対応するように配置されて、互いに離間して一対形成されている。装着筒２０の内周面には、径方向内側へ向けて突出するとともに周方向に沿って延びる環状突起２３が形成されており、該環状突起２３は、ステム１１の上端開口縁に、該上端開口縁の上方から当接している。
【００２９】
ノズル筒２２は、ヘッド本体２１の前壁から前方に向けて突設されており、図示の例では、断面長円形状又は断面楕円形状の筒状をなしている。ノズル筒２２の内部は仕切り壁２１ｆにより幅方向に区画されており、これにより該ノズル筒２２内には前後方向に延びる流路が幅方向に並んで一対形成されている。
【００３０】
図１〜図４に示されるように、外部カバー６は、内部カバー４に着脱自在に装着され、吐出ヘッド部材５を覆う部材とされている。外部カバー６は、吐出容器２、３の各口部１０を一体に囲う囲繞部材２５と、吐出ヘッド部材５を覆い、かつ吐出口７を外部に露出させる吐出窓２６が形成された被覆部材２７と、囲繞部材２５と被覆部材２７とを連結するヒンジ２８と、を備えている。
【００３１】
囲繞部材２５は、横断面視が長円形状又は楕円形状をなす筒状に形成されている。尚、本明細書でいう「長円形状」は、矩形の長手方向に沿う両端部に半円形がそれぞれ連結された、所謂トラック楕円形状を含んでいる。
【００３２】
図１及び図２において、囲繞部材２５は、その周壁が内部カバー４、該内部カバー４の径方向内側に位置する吐出容器２、３の口部１０、及びステム１１の上端部を、前後方向及び幅方向から囲っている。囲繞部材２５は、内部カバー４の嵌合筒８の縦リブ１５及び拡径部１３に外嵌されており、囲繞部材２５の下端開口縁は嵌合筒８の下端開口縁よりも下方に位置している。
【００３３】
図２において、囲繞部材２５の周壁のうち後壁の上端部には、該上端部において他の部位よりも一段前方へ向けて窪まされるとともに上方へ向けて突出する凸部３０が立設されている。尚、凸部３０は、囲繞部材２５の周壁における上端部略全周に亘って形成されていてもよい。この場合、凸部３０は、前記周壁の上端部において該凸部３０以外の部分よりも一段容器内側（具体的には、前後方向に沿う容器内側、幅方向に沿う容器内側、及び径方向内側のいずれか）へ窪まされるとともに上方へ向けて突設される。またこの場合、凸部３０のうち嵌合筒８の上端部に接近配置される部分は、該上端部にその径方向外側から当接していることが好ましく、これにより内部カバー４に対する囲繞部材２５の装着姿勢がより安定する。また図２〜図４において、囲繞部材２５の周壁における後壁の上端部には、後方へ向けて突出するとともに幅方向に延びるリブ状の係止突起３１が形成されている。
【００３４】
図１において、囲繞部材２５の幅方向に沿う両端部に位置する周壁の内周面には、内部カバー４の嵌合筒８の拡径部１３にアンダーカット嵌合する突起４３が設けられている。前記突起４３が拡径部１３に係止されることで、内部カバー４及び吐出容器２、３に対する外部カバー６の上方移動が規制されるようになっている。本実施形態の上記構成によれば、これら拡径部１３と突起４３とがアンダーカット嵌合する部分（爪の先端）を鋭角に成形可能であり、内部カバー４と外部カバー６との嵌合が強固なものとなって、当該多連式容器１の使用時に安定した作動が可能となる。さらに上記構成によれば、囲繞部材２５に、従来のような囲繞部材２５の前後方向に沿う両端部に位置する周壁の内周面において長手方向（周方向）に延びるアンダーカットを形成する必要がなく、金型構造が単純化でき、費用を削減できる。
【００３５】
また図２において、外部カバー６内には、ステム１１に装着される前の吐出ヘッド部材５を少なくとも前後方向及び下方から支持可能な支持板３４が、互いに前後方向に離間して一対設けられている。これらの支持板３４は、多連式容器１を製造する際に、ステム１１に装着される前の吐出ヘッド部材５を外部カバー６内に保持する目的で設けられている。尚、これら支持板３４は、ステム１１に装着された後の吐出ヘッド部材５の上下移動をガイド（案内）可能に形成されていてもよい。
図２に示される縦断面視で、支持板３４はＬ字状をなしており、連結板３５を介して囲繞部材２５に連結されている。また、これら支持板３４のうち、前方に位置する支持板３４には、ノズル筒２２を挿通させる切り欠き３４ａが形成されている。
【００３６】
図１及び図２において、被覆部材２７は、有頂筒状をなしその下端開口縁がヒンジ２８に連結され、吐出ヘッド部材５を前後方向、幅方向及び上方から覆う本体部３６と、本体部３６にヒンジ部３７を介して連結されて、吐出ヘッド部材５を上方から押し下げ可能に覆う吐出レバー３８と、を備えている。
【００３７】
図１〜図４に示されるように、本体部３６は、頂壁３６ｂと周壁とを備えており、前記周壁は、前壁３６ａ、後壁３６ｃ及び一対の側壁を有している。また本体部３６には、その頂壁３６ｂから後壁３６ｃにかけての領域に、吐出レバー３８が収容される開口部３９が形成されている。開口部３９は、頂壁３６ｂにおける前端部及び幅方向の両端部以外の領域に開口されており、かつ、後壁３６ｃにおける下端部及び幅方向の両端部以外の領域に開口されている。また頂壁３６ｂには、開口部３９の形状に対応するように垂下壁３６ｄが垂下設されている。
【００３８】
図３に示される上面視で、頂壁３６ｂは幅方向に長い長円形状又は楕円形状をなしており、図示の例では、該頂壁３６ｂのうち幅方向（図３における左右方向）に沿う中央部に、開口部３９が形成されている。また図４に示される背面視で、開口部３９は、後壁３６ｃのうち幅方向（図４における左右方向）に沿う中央部に配置されている。
また、頂壁３６ｂと前記一対の側壁との連結部分は、下方に向かうに従い漸次径方向外側へ向かって湾曲するように（つまり外周面が凸曲面状となるように）形成されている。
【００３９】
図３において、前壁３６ａは、その幅方向に沿う両端部に対して該両端部間に位置する中間部（本実施形態では幅方向の中央部）が後方に向けて一段窪まされており、この窪まされた部分に、前壁３６ａを前後方向に貫通して吐出窓２６が形成されている。吐出窓２６を画成する開口縁のうちの少なくとも一部は、吐出ヘッド部材５に、該吐出ヘッド部材５の上方から対向している。
具体的に図１に示される例では、吐出窓２６は矩形孔状をなしており、図２において、吐出窓２６を画成する矩形状の開口縁のうちの上縁２６ａが、吐出ヘッド部材５のノズル筒２２に、該ノズル筒２２の上方から対向している。ノズル筒２２は、吐出窓２６内に挿通されて、囲繞部材２５の前壁よりも前方に突出している。
【００４０】
図１及び図２において、前壁３６ａの下端には、幅方向に離間して配置された一対のヒンジ２８が連結されており、該前壁３６ａは、ヒンジ２８を介して囲繞部材２５の前壁の上端に連結されている。
そして、ヒンジ２８は、吐出ヘッド部材５の吐出口７よりも下方に配設されている。具体的に図１に示される例では、ヒンジ２８は、吐出ヘッド部材５の底壁２１ｂよりも下方に配設されている。
【００４１】
図１及び図２において、垂下壁３６ｄは、頂壁３６ｂの内周縁から垂下設された壁部であり、横断面視でＵ字状又はコ字状をなしている。また垂下壁３６ｄの後方端縁は、後壁３６ｃに連なっている。
垂下壁３６ｄの下端縁のうち、前方に位置して幅方向に延びる部分には、ヒンジ部３７を介して吐出レバー３８が連結されている。
【００４２】
吐出レバー３８は板状をなしており、ヒンジ部３７回りに回動させられることで上下動可能とされて、本体部３６の開口部３９内に収容されている。図３に示される上面視で、吐出レバー３８は概略矩形状をなしており、その後端部が半円形状をなしている。
図２において、吐出レバー３８の下面のうち吐出ヘッド部材５の上方に位置する部分には、押し込み突起４０が突設されている。図１及び図４において、押し込み突起４０は、吐出レバー３８の下面における幅方向の両端部に一対設けられて、吐出ヘッド部材５のヘッド本体２１の天壁２１ａに、該天壁２１ａの上方から当接している。
図２に示されるように、押し込み突起４０が吐出ヘッド部材５に当接した状態で、吐出レバー３８は、後方に向かうに従い漸次上方に向けて延びている。また吐出レバー３８の上面には、操作性を高めるために凹状に形成された操作凹部４１が形成されている。
【００４３】
図２において、後壁３６ｃの下端部には、囲繞部材２５の凸部３０が前記下端部の前方から当接又は接近配置されている。図４に示されるように、後壁３６ｃの下端部における幅方向の中央部には、この背面視でＵ字状又はコ字状をなす係止環体４２が、前記下端部の他の部位よりも後方に突出するとともに下方に向けて延設されており、この係止環体４２内に囲繞部材２５の係止突起３１が係止されている。図２において、係止環体４２のうち係止突起３１よりも下方に位置する部分は、下方に向かうに従い後方へ向かって延びており、この部分が係止環体４２の操作舌片となっている。係止環体４２は弾性変形可能とされており、前記操作舌片を把持し該係止環体４２を弾性変形させることで、係止環体４２と係止突起３１との係止状態が解除可能とされている。
【００４４】
次に、このように構成された多連式容器１を使用して内容物を吐出する手順、及び吐出ヘッド部材５を取り外す手順について説明する。
操作者が吐出レバー３８を押し下げてヒンジ部３７回りに回動させると、その押圧力が押し込み突起４０を介して吐出ヘッド部材５のヘッド本体２１に伝達され、該吐出ヘッド部材５全体が押し下げられる。これにより、吐出ヘッド部材５が連結される吐出容器２、３の各ステム１１も同時に押し下げられる。
【００４５】
ステム１１が押し下げられると、両吐出容器２、３内に充填されている各内容物は、該ステム１１内を通って吐出ヘッド部材５内に流入し、該吐出ヘッド部材５内においては混合されることなく（又はノズル筒２２先端部で初めて混合されて）、吐出口７から外部へ吐出される。
このように本実施形態の多連式容器１では、吐出レバー３８を押し下げ操作することで、両吐出容器２、３のステム１１を同時に押し込んで、両吐出容器２、３内の内容物を同じタイミングで吐出させることができるようになっている。
【００４６】
内容物の吐出後に、吐出ヘッド部材５の内部洗浄を行うには、外部カバー６の係止環体４２を弾性変形させて係止突起３１との係止状態を解除し、図５に示されるように、囲繞部材２５に対して被覆部材２７をヒンジ２８回りに回動させて、吐出ヘッド部材５を外部に露出させる。
次いで、吐出ヘッド部材５を把持し、ステム１１に対して上方移動させて取り外す。吐出ヘッド部材５を取り外したら、上部１７と下部１８とをヒンジ部１９回りに回動させて該吐出ヘッド部材５を開き、内部を洗浄する。尚、吐出ヘッド部材５を開かずに内部を洗浄してもよい。
洗浄後は、上述とは逆の手順で吐出ヘッド部材５をステム１１に装着する。
【００４７】
以上説明した本実施形態の多連式容器１によれば、囲繞部材２５と被覆部材２７とを連結するヒンジ２８が、吐出ヘッド部材５の吐出口７よりも下方に位置しているので、囲繞部材２５に対して被覆部材２７をヒンジ２８回りに回動させて吐出ヘッド部材５を外部に露出させたときに、該吐出ヘッド部材５を下方に深い位置まで露出させることが可能になり、これにより吐出ヘッド部材５を取り外しやすくできる。従って、吐出ヘッド部材５の洗浄に容易に移行できる。また、囲繞部材２５に対して被覆部材２７をヒンジ２８回りに回動させて形成された開口部に、上方から吐出ヘッド部材５を装着することができるため、組立が容易となる。
【００４８】
そして、吐出窓２６の開口縁の少なくとも一部（本実施形態では上縁２６ａ）が、吐出ヘッド部材５の上方（本実施形態ではノズル筒２２の上方）に位置しているにも係わらず、上述した作用効果が得られ、吐出ヘッド部材５を取り外しやすく、組立も容易となる。
【００４９】
また、吐出ヘッド部材５は、吐出口７が形成された上部１７と、ステム１１に装着される下部１８と、これら上部１７及び下部１８を連結するヒンジ部１９と、を備えて一体に形成されている。従って、吐出ヘッド部材５の下部１８と上部１７とをヒンジ部１９回りに回動させて、該吐出ヘッド部材５を開くことができ、吐出ヘッド部材５の内部を容易に洗浄できる。また吐出ヘッド部材５が簡単な構造とされ、洗浄後の組み立ても容易である。
【００５０】
また本実施形態では、図６に示されるように、外部カバー６に、ステム１１に装着される前の吐出ヘッド部材５を支持可能な支持板３４が設けられており、具体的に図示の例では、支持板３４は吐出ヘッド部材５を少なくとも前後方向及び下方から支持可能に一対設けられている。さらに外部カバー６には、ステム１１に装着される前の吐出ヘッド部材５を上方から覆う吐出レバー３８及び本体部３６（被覆部材２７）が設けられており、支持板３４に対する吐出ヘッド部材５の上方への抜け止めがなされている。
従って、多連式容器１の製造時（組立時）において、外部カバー６内に吐出ヘッド部材５を収容した状態として容易に作業を行うことができる。
【００５１】
尚、本発明は前述の実施の形態に限定されるものではなく、本発明の趣旨を逸脱しない範囲において種々の変更を加えることが可能である。
【００５２】
例えば、前述の実施形態では、多連式容器１として、吐出容器２、３を一対備えた二連式容器について説明したが、これに限定されるものではなく、吐出容器が３つ以上設けられていてもよい。
また、複数の吐出容器が外郭体により一体に覆われていてもよい。具体的に、例えば前記外郭体が円筒状をなして見かけ上単一の容器とされつつも、該外郭体の内部に複数の吐出容器が並列に、若しくは多重筒状に収容された多連式容器１であってもよい。
【００５３】
また、吐出ヘッド部材５が、吐出容器２、３の各ステム１１の上端に装着されて、これらステム１１同士を一体に連結しているとしたが、これに限定されるものではない。すなわち、例えば吐出ヘッド部材５は、各ステム１１に対応して各別に分離して複数設けられていてもよい。
【００５４】
また、吐出窓２６を画成する矩形状の開口縁のうちの少なくとも一部（上縁２６ａ）が、吐出ヘッド部材５のノズル筒２２に、該ノズル筒２２の上方から対向しているとしたが、これに限定されるものではない。すなわち、吐出窓２６の形状は前述の実施形態で説明した矩形孔状に限定されるものではなく、それ以外の多角形孔状や円形孔状等であってもよい。尚、吐出窓２６は、囲繞部材２５に対して被覆部材２７をヒンジ２８回りに回動させたときに、ノズル筒２２に干渉しないように形成され、配置されることが好ましい。また、上記開口縁のうちの少なくとも一部が、上記ノズル筒２２の代わりに、吐出ヘッド部材５のヘッド本体２１に、該ヘッド本体２１の上方から対向していてもよい。
【００５５】
また、ノズル筒２２が、吐出窓２６内に挿通されて、囲繞部材２５の前壁よりも前方に突出しているとしたが、これに限定されるものではない。すなわち、ノズル筒２２の前方へ向けた突出量は、前述の実施形態で説明した例に限られるものではなく、例えば吐出窓２６に挿通されることなく吐出口７を外部に露出していてもよい。さらに、吐出口７がヘッド本体２１の前壁に直接形成されて、ノズル筒２２が設けられなくても構わない。また、ヒンジ２８は、外部カバー６の後方端部又は側方端部において、囲繞部材２５と被覆部材２７とを連結していてもよい。
【００５６】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００５７】
１  多連式容器
２、３  吐出容器
５  吐出ヘッド部材
７  吐出口
１０  口部
１１  ステム
２５  囲繞部材
２６  吐出窓
２６ａ  吐出窓の開口縁の上縁（開口縁の一部）
２７  被覆部材
２８  ヒンジ
【図１】
2015009863.tif 000003
【図２】
2015009863.tif 000004
【図３】
2015009863.tif 000005
【図４】
2015009863.tif 000006
【図５】
2015009863.tif 000007
【図６】
2015009863.tif 000008